(57)【要約】      （修正有）【課題】物干しさおやハンガーとそれらに掛けた洗濯物の支持体として使用することで、乾燥効率を向上させることができる網目欠切筒を提供する。【解決手段】通気性の良い広口径網目欠切筒２外直径５５ミリ内直径４５ミリ長さ５００ミリを外筒とし、左右に使用する内筒には網目欠切筒３外直径４３ミリ内直径３５ミリ長さ４００ミリを２本使用して形成するハンガーと前述網目欠切筒２を物干しさお直径２５ミリに直接覆接活用する方法とパラソルハンガーのアーム１９に網目欠切筒２を覆接することで各乾燥目的物の内面を拡張しての通気性向上に伴い乾燥効率が増進する。【選択図】図１５
0003170347.tif 000002
【実用新案登録請求の範囲】
【請求項１】
網目欠切筒を基本材料として形成する洗濯物干しハンガー
【請求項２】
物干しさおに覆設する網目欠切筒
【請求項３】
パラソルハンガーのアームに覆設する網目欠切筒
【考案の詳細な説明】
【技術分野】
【０００１】  本考案は、洗濯衣類の乾燥効果増進具に関するものである。
【背景技術】
【０００２】  洗濯物衣類を干す場合、物干しさおやハンガーに掛けた際付着水分により下部への重力が働き干す洗濯物は相対する衣類に密着し内面の通気効果を妨げるために乾燥効率を悪化させ目的の乾燥効果を求めるには相応の時間を必要としていた。【０００３】  従来より洗濯物の乾燥方法は太陽光による気温と風量を必要とする乾燥方法であり、従って乾燥時間の短縮と希望の乾燥効果を求めるには自然条件に左右されるため労働的関与も多大であった。
【先行技術文献】
なし
【実用新案文献】
【実用新案文献】
【０００４】  なし
【非実用新案文献】
【非実用新案文献】
【０００５】  なし
【考案の概要】
【考案が解決しようとする課題】
【０００６】  現存する洗濯物干し具の物干しさおやハンガーに洗濯物を干す場合、洗濯物に含有する水分の重力で乾燥目的物は垂れ下がるものの物干しさおやハンガーと洗濯物衣類の接する面積が棒状態で物干しさお１３で直径２５ミリと狭いために相対する乾燥目的物の下部は密着し通気を極端に妨げ乾燥効率を低下させる。
【課題を解決するための手段】
【０００７】  本考案は、通気性の良い広口径網目欠切筒２外直径５５ミリ内直径４５ミリ長さ５００ミリを外筒とし、左右に使用する内筒には網目欠切筒３外直径４３ミリ内直径３５ミリ長さ４００ミリを２本使用して形成するハンガーと前述網目欠切筒２を物干しさお直径２５ミリに直接覆接活用する方法とパラソルハンガーのアーム１９に網目欠切筒２を覆接することで各乾燥目的物の内面を拡張しての通気性向上に伴い乾燥効率が増進することで問題点を解決している。
【考案の効果】
【０００８】  上述の様に、本考案の網目欠切筒２は外直径５５ミリの広口径となることで乾燥目的物の内面空間を広げる効果が生じ衣類等乾燥目的物の下部を垂下させることが可能となり相対衣類の内面空間は広く保持されるため乾燥目的物の乾燥効率向上に役立つ。
【図面の簡単な説明】
【０００９】
【図１】網目欠切筒式洗濯物乾燥増進具のハンガー形成伸長時の正面断面図である。
【図２】網目欠切筒式洗濯物乾燥増進具のハンガー形成縮小時の正面断面図である。
【図３】広口径網目欠切筒に狭口径網目欠切筒を挿入時の斜視図である。
【図４】広口径網目欠切筒基板展開図横５００ミリ×縦１７０ミリ厚さ５ミリである。
【図５】広口径網目欠切筒展開図の中心部一部切断の実寸法図である。
【図６】広口径網目欠切筒の側面実寸法外直径５５ミリ内直径４５ミリ断面図である。
【図７】広口径網目欠切筒の網部実寸法外直径５５ミリ内直径４５ミリ断面図である。
【図８】狭口径網目欠切筒基板展開図横４００ミリ×縦１３ミリ×厚さ３ミリである。
【図９】狭口径網目欠切筒展開図の中心部一部切断の実寸法図である。
【図１０】狭口径網目欠切筒側面実寸法外直径４３ミリ内直径３５ミリ断面図である。
【図１１】狭口径網目欠切筒網部実寸法外直径４３ミリ内直径３５ミリ断面図である。
【図１２】ハンガー形成使用時の網目欠切筒釣支金具正面図である。
【図１３】ハンガー釣支金具の側面図てある。
【図１４】ハンガー形成時の狭口径網目欠切筒３伸長時脱落防止係止ひもの図である。
【図１５】パラソルハンガーのアームに網目欠切筒を覆設した実例正面図である。
【図１６】ハンガー形成後に洗濯物を干した実例正面図である。
【図１７】物干しさおに網目欠切筒２を覆設し衣類を干した側面実寸法断面図である。
【考案を実施するための形態】
【００１０】  市販物干しさお１３直径２５ミリや市販ハンガーも洗濯物に接する部分は約１０ミリと狭いため干し下げた衣類は相対する面への密着が常態であり故に内面の通気を減少させて乾燥効率を低下させるために広口径網目欠切筒２を物干しさお１３やハンガーアーム１９に覆設することで相対する衣類内面は拡張されるため衣類の下部は垂下して内面の通気性向上が寄与しその乾燥効果は発揮される。
【実施例１】
【００１１】  図１は本考案の広口径網目欠切筒２内直径４５ミリと狭口径網目欠切筒３外直径４３ミリを組み合わせして形成したハンガー１に多数の洗濯物を干すために伸長使用する際の正面断面図であり狭口径網目欠切筒３を内に挿入し左右２本を脱落防止の係止ひも１４で所定間隔に係着した図面てある。【００１２】  図１５は実寸法の市販物干しさお１３直径２５ミリへ実寸法の広口径網目欠切筒２内直径４５ミリ外直径５５ミリを覆設した後に洗濯布類を干して市販さおの直径と本考案網目欠切筒２の直径を比較した端縁断面図である。
【実施例２】
【００１３】  図１７の実施例は屋内干し目的に多く使用されるパラソルハンガーのアームに網目欠切筒２を覆設して洗濯物の通気性を向上させる乾燥効率改善活用の正面図である。
【産業上の利用可能性】
【００１４】  本考案は、広口径網目欠切筒２と峡口径網目欠切筒３の２種類の筒を活用の洗濯物乾燥増進具であり洗濯物干しさお１３や屋内干しに多く利用されているパラソルハンガー１８のアーム１９にも網目欠切筒２を覆設することが可能で経済的負担も廉価であり現存する物干し用具の有効活用促進に寄与することは多大であり、また洗濯物乾燥作業に関与する労働時間の減少による経済的効果を期待される洗濯物乾燥増進具である。
【符号の説明】
【００１５】  １  耐久性樹脂を基本材とした網目欠切筒式ハンガー形成本体
２  広口径網目欠切筒
３  狭口径網目欠切筒
４  狭口径網目切筒脱落係止ひも
５  ハンガー釣支金具本体
６  広口径網目欠切筒落下防止金具
７  網目欠切筒端側断面図
８  網目欠切筒構成基板材
９  網目欠切筒構成基板欠切部
１０  釣支金具挿脱上面口
１１  釣支金具挿脱下面口
１２  釣支金具脱落防止用切り込み
１３  洗濯物干しさお
１４  敷布等洗濯物
１５  袖付衣類洗濯物
１６  靴下洗濯物
１７  下着洗濯物
１８  パラソルハンガー本体
１９  ハンガーのアーム
２０  干し物落下防止用アームクリップ
【図１】
0003170347.tif 000003
【図２】
0003170347.tif 000004
【図３】
0003170347.tif 000005
【図４】
0003170347.tif 000006
【図５】
0003170347.tif 000007
【図６】
0003170347.tif 000008
【図７】
0003170347.tif 000009
【図８】
0003170347.tif 000010
【図９】
0003170347.tif 000011
【図１０】
0003170347.tif 000012
【図１１】
0003170347.tif 000013
【図１２】
0003170347.tif 000014
【図１３】
0003170347.tif 000015
【図１４】
0003170347.tif 000016
【図１５】
0003170347.tif 000017
【図１６】
0003170347.tif 000018
【図１７】
0003170347.tif 000019
【手続補正書】
【提出日】平成23年6月16日(2011.6.16)
【手続補正１】
【補正対象書類名】明細書
【補正対象項目名】０００６
【補正方法】変更
【補正の内容】
【０００６】  現存する洗濯物干し具の物干しさおやハンガーに洗濯物を干す場合、洗濯物に含有する水分の重力で乾燥目的物は垂れ下がるものの物干しさおやハンガーと洗濯物衣類の接する面積が棒状態で物干しさお１３で外直径３０ミリと狭いために相対する乾燥目的物の下部は密着し通気を極端に妨げ乾燥効率を低下させる。
【手続補正２】
【補正対象書類名】明細書
【補正対象項目名】００１０
【補正方法】変更
【補正の内容】
【００１０】  市販物干しさお１３外直径３０ミリや市販ハンガーも洗濯物に接する部分は約１０ミリと狭いため干し下げた衣類は相対する面への密着が常態であり故に内面の通気を減少させて乾燥効率を低下させるために広口径網目欠切筒２を物干しさお１３やハンガーアーム１９に覆設することで相対する衣類内面は拡張されるため衣類の下部は垂下して内面の通気性向上が寄与しその乾燥効果は発揮される。
【手続補正３】
【補正対象書類名】明細書
【補正対象項目名】００１１
【補正方法】変更
【補正の内容】
【００１１】  図１は本考案の広口径網目欠切筒２内直径４５ミリと狭口径網目欠切筒３外直径４３ミリを組み含わせして形成したハンガー１に多数の洗濯物を干すために伸長使用する際の正面断面図であり広口径網目欠切筒２の内側に狭口径網目欠切筒３を挿入し左右２本を脱落防止の係止ひも４で所定間隔に係着した図面である。
【手続補正４】
【補正対象書類名】明細書
【補正対象項目名】００１２
【補正方法】変更
【補正の内容】
【００１２】  図１７は実寸法の市販物干しさお１３外直径３０ミリへ実寸法の広口径網目欠切筒２内直径４５ミリ外直径５５ミリを覆設した後に洗濯布類を干して市販さおの直径と本考案網目欠切筒２の外直径を比較した端縁断面図である。
【手続補正５】
【補正対象書類名】明細書
【補正対象項目名】００１３
【補正方法】変更
【補正の内容】
【００１３】  図１５の実施例は屋内干し目的に多く使用されるパラソルハンガーのアーム１９に網目欠切筒２を覆設して洗濯物の通気性を向上させる乾燥効率改善活用の正面図である。
【手続補正６】
【補正対象書類名】明細書
【補正対象項目名】００１５
【補正方法】変更
【補正の内容】
【００１５】１  耐久性樹脂を基本材とした網目欠切筒式ハンガー形成本体
２  広口径網目欠切筒
３  狭口径網目欠切筒
４  狭口径網目切筒脱落係止ひも
５  ハンガー釣支金具本体
６  広口径網目欠切筒落下防止金具
７  網目欠切筒端側断面＿
８  網目欠切筒構成基板材
９  網目欠切筒構成基板欠切部
１０  釣支金具挿脱上面口
１１  釣支金具挿脱下面口
１２  釣支金具脱落防止用切り込み
１３  洗濯物干しさお
１４  敷布等洗濯物
１５  袖付衣類洗濯物
１６  靴下洗濯物
１７  下着洗濯物
１８  パラソルハンガー本体
１９  ハンガーのアーム
２０  干し物落下防止用アームクリップ